(57)【要約】【課題】外部から管球が透視可能であり、包装作業性が良好で、緩衝性の高い管球用包装容器および管球用包装容器装置を提供する。【解決手段】管球２の発光管またはその外囲器等の発光部２ａの軸直角方向外側面周囲に、緩衝作用を行なう凹凸部が一体的に形成された胴部を有し、胴部の一端側に一体的に形成された底部３ｂには、管球の口金を着脱自在に嵌合させる嵌合凹部６を有し、胴部の中心軸に管球を支持する口金支持部６を有し、管球を収容可能な有底筒状の容器本体３と；容器本体の他端部に着脱自在に装着されて、管球の発光部頂部を容器本体とほぼ同心状態で底部側へ緩衝的に押える押え部４ｂを形成した蓋部と；を具備し、少なくとも容器本体と蓋部を透光性を有する素材によりそれぞれ形成した。【選択図】  図１
2005313918.tif 000002
【特許請求の範囲】
【請求項１】
管球の発光管またはその外囲器等の発光部の軸直角方向外側面周囲に、緩衝作用を行なう凹凸部が一体的に形成された胴部を有し、胴部の一端側に一体的に形成された底部には、上記管球の口金を着脱自在に嵌合させる嵌合部を有し、胴部の中心軸に管球を支持する口金支持部を有し、管球を収容可能な有底筒状の容器本体と；
上記容器本体の他端部に着脱自在に装着されて、上記管球の発光部頂部を上記容器本体とほぼ同心状態で上記底部側へ緩衝的に押える押え部を形成した蓋部と；
を具備し、
少なくとも上記容器本体と蓋部を透光性を有する素材によりそれぞれ形成したことを特徴とする管球用包装容器。
【請求項２】
上記容器本体は、上記底部に向けて漸次縮径する円錐台状に形成されていることを特徴とする請求項１記載の管球用包装容器。
【請求項３】
上記蓋部は、その頂部外面の少なくとも一部を平面に形成していることを特徴とする請求項１または２記載の管球用包装容器。
【請求項４】
上記蓋部は、
上記容器本体の開口端部に着脱自在に装着されて、上記押え部を内面に形成した内蓋と；
この内蓋の外側にて上記容器本体の他端部に着脱自在に装着される蓋部外面が平面をなす外蓋と；
を別体により構成してなることを特徴とする請求項１または２記載の管球用包装容器。
【請求項５】
上記請求項１ないし４のいずれか一記載の管球用包装容器と；
この管球用包装容器内に収容された管球と；
を具備していることを特徴とする管球用包装容器装置。
【発明の詳細な説明】
【技術分野】
【０００１】
本発明は白熱電球や電球形蛍光ランプ、ＨＩＤランプ等の管球を包装する管球用包装容器および管球用包装容器装置に関する。
【背景技術】
【０００２】
従来、この種の管球用包装容器としては、例えば下記の特許文献１に記載されたものが知られている。この管球用包装容器は、多くをガラスからなる管球外部からの衝撃を受けて損傷し易い電球形蛍光ランプやコンパクト型蛍光ランプ、ＨＩＤランプ等の管球を、段ボール製の包装用支持部材に支持させた状態で収容するものである。
【特許文献１】特開平５−２２９５７２号公報
【発明の開示】
【発明が解決しようとする課題】
【０００３】
しかしながら、このような従来の管球用包装容器では、段ボール製であるので、その内部に収容されている管球を管球用包装容器の外部から目視することができない。このために、管球用包装容器内に管球を収容包装した後、販売店等へ運搬する際に、衝撃等により管球が破損する場合があるが、その破損を管球用包装容器の外部から発見することができず、その破損品を陳列してしまう場合がある。これを防止するためにはその破損品を発見するための作業も別途必要となる。
【０００４】
また、この管球用包装容器内に管球を収容包装する場合は、この管球用包装容器とは別体の包装用支持部材を一枚板紙状の展開状態から直方体に組み立て、さらに、これに管球を取り付けてから、その取付状態でこれらを管球用包装容器内に収容する作業がそれぞれ必要であり、その包装作業性が必ずしも効率的ではないという課題がある。
【０００５】
また、管球を管球用包装容器内に収容する際に、この管球用包装容器自体も展開状態から直方体状に組み立てる工程が必要となり、さらに、包装作業性が低下するという課題がある。
【０００６】
さらに、管球用包装容器と包装用支持部材が共に破損し易い段ボール製であるので、外見上の美感が必ずしも高くないうえに、これらの組立作業ないし管球の包装作業時に破損する虞が高いという課題がある。
【０００７】
本発明はこのような事情を考慮してなされたもので、その目的は、外部から管球が透視可能であり、包装作業性が良好で、緩衝性の高い管球用包装容器および管球用包装容器装置を提供することにある。
【課題を解決するための手段】
【０００８】
請求項１に係る発明は、管球の発光管またはその外囲器等の発光部の軸直角方向外側面周囲に、緩衝作用を行なう凹凸部が一体的に形成された胴部を有し、胴部の一端側に一体的に形成された底部には、上記管球の口金を着脱自在に嵌合させる嵌合部を有し、胴部の中心軸に管球を支持する口金支持部を有し、管球を収容可能な有底筒状の容器本体と；上記容器本体の他端部に着脱自在に装着されて、上記管球の発光部頂部を上記容器本体とほぼ同心状態で上記底部側へ緩衝的に押える押え部を形成した蓋部と；を具備し、少なくとも上記容器本体と蓋部を透光性を有する素材によりそれぞれ形成したことを特徴とする管球用包装容器である。
【０００９】
請求項２に係る発明は、上記容器本体は、上記底部に向けて漸次縮径する円錐台状に形成されていることを特徴とする請求項１記載の管球用包装容器である。
【００１０】
請求項３に係る発明は、上記蓋部は、その頂部外面の少なくとも一部を平面に形成していることを特徴とする請求項１または２記載の管球用包装容器である。
【００１１】
請求項４に係る発明は、上記蓋部は、上記容器本体の開口端部に着脱自在に装着されて、上記押え部を内面に形成した内蓋と；この内蓋の外側にて上記容器本体の他端部に着脱自在に装着される蓋部外面が平面をなす外蓋と；を別体により構成してなることを特徴とする請求項１または２記載の管球用包装容器である。
【００１２】
請求項５に係る発明は、上記請求項１ないし４のいずれか一記載の管球用包装容器と；この管球用包装容器内に収容された管球と；を具備していることを特徴とする管球用包装容器装置である。
【発明の効果】
【００１３】
本発明によれば、容器本体内に、管球の外側面周りに緩衝作用を行なう凹凸部を形成したので、輸送時など外部から衝撃を受けたとしても、その衝撃が管球に直接加わるのを防止ないし低減することができるので、管球の破損を抑制することができる。
【００１４】
さらに、容器本体底部の口金支持用の嵌合部に、単に管球の口金を着脱自在に嵌合させるとともに、管球の頂部に形成された押さえ部により、管球を容器本体内のほぼ同心状に固定することができるので、その固定ないし収容作業が簡単である。
【００１５】
また、管球用包装容器は透光性を有しているので、外見上の美感を向上させることができるうえに、管球用包装容器内の管球状態を外部から目視することができる。
【発明を実施するための最良の形態】
【００１６】
以下、本発明の実施形態を添付図面に基づいて説明する。なお、これら添付図面中、同一または相当部分には同一符号を付している。
【００１７】
図１（Ａ）は本発明の第１の実施形態に係る管球用包装容器装置１Ｘの上面図、同図（Ｂ）は同管球用包装容器装置１Ｘの一部を縦断面図で示す一部切欠正面図、図２は図１（Ｂ）のＩＩ−ＩＩ線に沿う切断部の端面図である。
【００１８】
管球用包装容器装置１Ｘは、管球用包装容器１と、この管球用包装容器１内に収容される管球２と、を具備することにより構成される。
【００１９】
図１（Ｂ）に示すように管球用包装容器１は、管球２をほぼ同心状に収容可能の有底円錐台状の容器本体３と、この容器本体３の開口端部３ａに着脱自在にそれぞれ嵌合されて、この開口端部３ａの開口を閉じる内蓋４および外蓋５と、を弾性と透光性を有する素材の一例であるＰＥＴ（ポリエチレンテレフタレート）により形成している。
【００２０】
管球２は例えば白熱電球やボール球、点灯回路を内蔵した電球形蛍光ランプ、ＨＩＤランプ等、発光管またはその外囲器等の発光部２ａと、口金２ｂまたはこの口金２ｂに相当する受電部を具備したランプである。
【００２１】
容器本体３は、その図中上端の開口端部３ａから底部３ｂに向けて漸次縮径する円錐台状に形成されており、開口端部３ａの外周面には、外方に凸の断面形状が円弧状の紐状突部３ｃを全周に亘って突設している。
【００２２】
また、容器本体３は、その底部３ｂの内底面中心部にて、図中上方に向けて先細円錐台状の口金支持部６を同心状かつ一体に連成している。
【００２３】
口金支持部６は、その頂部に、管球２の口金２ｂを着脱自在に嵌合させる嵌合凹部６ａを同心状に形成している。嵌合凹部６ａは、その内部に管球２の口金２ａを嵌入させることにより、この管球２を容器本体３内で同心状に起立させている。
【００２４】
先端円錐台に形成された嵌合凹部６ａは、その弾性を利用して嵌合凹部６ａ内に、口金２ａを単に押し込むことにより嵌合させる一方、嵌合凹部６ａから口金２ｂを単に引き抜くことにより取り外すことができるように構成されている。または、嵌合凹部６ａはその内周面に、口金２ｂのねじ部に嵌合するねじ溝や段部を形成して、口金２ａのねじ込みにより嵌合させるように構成してもよい。
【００２５】
容器本体３は、その胴部側壁３ｄに、例えば管球発光部２ａの最大径部２ｃに対向する領域において、所定高さの側面支持部７を全周に亘って一体に連成している。
【００２６】
図２に示すように側面支持部７は内方に突出する凸部と凹む凹部が周方向で交互に連続的に繰り返す波形に形成され、弾性変形量を増大させることにより緩衝性の向上を図っている。すなわち、仮に管球２が輸送時において外的圧力や衝撃を受け、側面支持部７により緩衝的に受けるようになっている。
【００２７】
図１（Ａ），（Ｂ）に示すように内蓋４は、有底偏平円筒状の内蓋本体４ａを備えており、その開口上端に、外向きフランジ４ｃを一体に連成し、この外向きフランジ４ｃを容器本体２の開口端部３ａに、着脱自在に載置させて容器本体３の開口端部３ａを閉じるようになっている。
【００２８】
内蓋４は、その内蓋本体４ａの底部４ｂを、管球発光部２ａの頂部２ｄ外面の湾曲面（球分面）に所定圧で当接する湾曲面に形成してランプ押え部４ｂに形成している。すなわち、このランプ押え部４ｂは管球発光部２ａの湾曲頂部２ｄの外面に所定圧で当接して、管球２を軸方向下方へ押えると共に容器本体３に対して同心状に支持している。
【００２９】
外蓋５は容器本体３の開口端部３ａに着脱自在に外嵌する有底偏平円筒状の外蓋本体５ａを有し、その側壁内面に、容器本体３の開口端部３ａの紐状突部３ｃの外面に係脱自在に係合する縦断面形状が円弧状の係合凹部５ｂを全周に亘って一体に連成している。
【００３０】
外蓋本体５ａは、その頂部である図中上端面５ｃを平坦面に形成し、この平坦上端面５ｃの外周縁部をこの上端面５ｃよりも若干高い段部５ｄに一体に連成し、この上端面５ｃの平坦面上に、容器本体３の底部３ｂ外面が載置できるようになっている。
【００３１】
したがって、この管球用包装容器１によれば、容器本体３の嵌合凹部６ａ内に、管球２の口金２ｂを単に嵌入させることにより、管球２の発光部２ａの外側周面周り側面支持部７内面に対向するよう容器本体３内のほぼ同心状に収容することができる。このために、管球用包装容器１の運搬時等において、仮に管球用包装容器１が動揺した場合でも、比較的破損し易い管球発光部２ａが容器本体は、側面支持部７の緩衝作用により直接的にその影響を受けて破損するのを防止または低減することができる。
【００３２】
また、容器本体３内で管球口金２ｂを口金支持部６の嵌合凹部６ａ内に嵌入させて固定すると共に、管球頂面部２ｄの外面を内蓋４の底部４ｂにより容器本体底部３ｂ側へ軸方向で押えるので、管球２の軸方向の固定力を強化することができる。また、このために、容器本体３内での管球２の動揺を防止ないし低減することができる。
【００３３】
さらに、管球最大径部２ｃが衝突する容器本体側壁３ｄには、側面支持部７が形成されており、この側面支持部７により管球最大径部２ｃを緩衝的に受けることができる。
【００３４】
そして、管球口金２ｂを口金支持部６の嵌合凹部６ａ内に単に押し込むことにより、管球２を、その外側面周りに所要の間隙ｇを設定した状態で容器本体３内に簡単かつ迅速に固定することができる。
【００３５】
また、管球口金２ｂを嵌合凹部６ａから単に引き抜くことにより、管球２を容器本体３外へ簡単かつ迅速に取り出すことができる。
【００３６】
そして、管球用包装容器１はＰＥＴ等により透明に形成されているので、外見上の新規な美感を与えることができるうえに、容器本体３内の管球２を外部から目視できるので、管球２の破損の有無等を簡単かつ迅速に発見することができる。
【００３７】
さらに、図３に示すように外蓋５の上端面５ｃが平坦面であるので、管球２を収容した状態で複数の管球用包装容器装置１Ｘ，１Ｘ，…を上下方向に安定して積み上げることができ、その状態で陳列することができるので、陳列スペースの節約を図ることができる。
【００３８】
さらに、図４に示すように、容器本体３は円錐台状に形成されているので、これら空の複数の容器本体３の一方の下部を他方内に入れ子状に順次収容した状態で上下方向に安定して積み重ねることができる。このために、容器本体３の保管スペースを節約することができる。なお本実施の形態において、容器本体３は略円錐状の筒形状であったが、多角形筒状に形成されているものであっても構わない。
【００３９】
図５（Ａ）は本発明の第２実施形態に係る管球用包装容器装置１Ｙの上面図、（Ｂ）は同管球用包装容器装置１Ｙの一部を切り欠いて縦断面で示す一部切欠正面図である。
【００４０】
この管球用包装容器装置１Ｙの管球用包装容器１Ａは、上記図１（Ａ），（Ｂ）等で示す管球用包装容器１の内蓋４と外蓋５とをいわば一体に連成して一枚蓋８に形成して１パーツに構成した点と、管球２の頂部を押えるランプ押え部９の形状を複数の雫形に形成した点に特徴があり、これ以外は図１（Ａ），（Ｂ）等で示す管球用包装容器１と同様の構成である。
【００４１】
すなわち、一枚蓋８は、円錐台形状の容器本体３の開口端部３ａに着脱自在に外嵌されるＰＥＴ製の有底円筒状の蓋本体８ａを有し、その側面内面に、容器本体３の紐状突部３ｃの外面に係脱自在に係合する縦断面形状が円弧形の係合凹部８ｂを全周に亘って一体に連成している。
【００４２】
また、図５（Ａ）に示すように一枚蓋８は、その蓋本体８ａ内面には管球頂部に当接する平面形状が雫状で中空の複数のランプ押え部８ｃ，８ｃ，…を一体に連成している。
【００４３】
各ランプ押え部８ｃは蓋本体８ａの中心軸周りに周方向に所定のピッチで複数配設されている。各ランプ押え部８ｃはその内端部（底部）を、管球頂部２ｄの湾曲面に局所的に当接するとともに当接する管球頂部２ｄの湾曲面と略同等の湾曲面にそれぞれ形成し、管球２を容器本体３の底部３ｂ側へ軸方向に所定圧で弾性的に押えると共に、管球２を容器本体３に対して同心状に支持するように構成されている。
【００４４】
そして、一枚蓋８は、その蓋本体８ａの上端面８ｄの複数の押え部を囲む外周は平坦面に形成しているとともに、その外周縁部をこの上端面８ｄよりも若干高い段部８ｅに一体に連成している。
【００４５】
したがって、この管球用包装容器１Ｂによれば、上記管球用包装容器装置１Ａの内蓋４と外蓋５とを一体に連成して一枚蓋８に構成したので、部品点数を削減することができると共に、その分、組立工数の削減と軽量化を図ることができる。
【００４６】
また、この管球用包装容器１Ａは一枚蓋８以外は上記管球用包装容器１とほぼ同一構成であるので、これと同様の作用効果を奏することができる。
【００４７】
図６（Ａ）は本発明の第３の実施形態に係る管球用包装容器装置１Ｚの平面図、（Ｂ）は同管球用包装容器装置１Ｚの一部を切り欠いて縦断面で示す一部切欠正面図である。
【００４８】
この管球用包装容器１Ｚの管球用包装容器１Ｂは、管球２として、外囲器を具備していない、電球形蛍光ランプ９を使用するものであり、このランプ９は、発光部２ａとしての例えば複数本の屈曲形蛍光ランプ９ａと、これらランプ９ａを点灯する点灯回路を内蔵したカバー９ｂと、口金９ｃとを具備している。
【００４９】
この管球用包装容器１Ｂは、図５（Ａ），（Ｂ）で示す管球用包装容器装置１Ａと同様、図１（Ａ），（Ｂ）で示す内蓋４と外蓋５とを一体に連成した一枚蓋８を具備しているが、ランプ押え部８ｂｂの個数と形状が相違する点と、側面支持部７ｂの形状が相違する点とに特徴がある。
【００５０】
すなわち、各ランプ押え部８ｃｃは平面形状が雫状であり、かつ容器本体３内へ突出する内端外面を各屈曲形蛍光ランプ９ａの頂部外面に所定圧当接するように形成して、各屈曲形蛍光ランプ９ａを容器本体３の底部３ｂ側へ所定圧で軸方向へ押えると共に、電球形蛍光ランプ９を容器本体３に対して同心状に支持するように構成されている。
【００５１】
また、側面支持部７ｂは、容器本体３の側壁３ｄに、カバー９ｂ近傍の各屈曲形蛍光ランプ９ａの基端部周りにおいて、内方へそれぞれ円弧状に突出する突出部を一体に形成することにより構成されている。
【００５２】
このために、仮に電球形蛍光ランプ９が外部からの衝撃を受けたとしても、緩衝作用を有する側面支持部７ｂにより緩衝的に支持することができるので、電球形蛍光ランプ９の破損を防止ないし低減することができる。
【図面の簡単な説明】
【００５３】
【図１】（Ａ）は本発明の第１の実施形態に係る管球用包装容器の平面図、（Ｂ）は同一部切欠正面図。
【図２】図１（Ｂ）のＩＩ−ＩＩ線切断部の端面図。
【図３】図１（Ａ），（Ｂ）で示す管球用包装容器装置を上下方向に積み上げた状態を示す正面図。
【図４】図１（Ａ），（Ｂ）で示す管球用包装容器装置を（Ａ）の空の容器本体を上下方向に積み上げた状態を示す正面図。
【図５】（Ａ）は本発明の第２の実施形態に係る管球用包装容器の平面図、（Ｂ）は同一部切欠正面図。
【図６】（Ａ）は本発明の第３の実施形態に係る管球用包装容器の平面図、（Ｂ）は同一部切欠正面図。
【符号の説明】
【００５４】
１，１Ａ，１Ｂ，１Ｃ…管球用包装容器、１Ｘ，１Ｙ，１Ｚ…管球用包装容器装置、２…管球、２ａ…発光部、２ｃ…口金部、３…容器本体、３ａ…開口端部、３ｂ…底部、３ｃ…係合突部、３ｄ…側壁、４…内蓋、４ｂ，８ｃ，８ｃｃ…ランプ押え部、５…外蓋、５ａ…平坦上端部、６…口金支持部、６ａ…嵌合凹部、７…側面支持部、８…一枚蓋。
【図１】
2005313918.tif 000003
【図２】
2005313918.tif 000004
【図３】
2005313918.tif 000005
【図４】
2005313918.tif 000006
【図５】
2005313918.tif 000007
【図６】
2005313918.tif 000008